(57)【要約】【課題】  比較的簡単な構成でもって釣用餌の鮮度を保つことができる携帯用餌箱を提供すること。【解決手段】  餌を収容するための収容空間８を規定する箱本体４と、箱本体４に開閉自在に装着された蓋体６とを備えた携帯用餌箱。箱本体４は、本体外壁１２と、この本体外壁１２の内側に配設された本体内壁１４とを有し、本体外壁１２と本体内壁１４との間に断熱部材１６が設けられている。また、蓋体６は、蓋外壁１８と、この蓋外壁１８の内側に配設された蓋内壁２０とを有し、蓋外壁１８と蓋内壁２０との間に断熱部材２２が設けられている。更に、蓋体６の内面には網状部材２４が取り付けられ、この網状部材２４の内側に蓄冷材２６が装着される。【選択図】  図３
2006020589.tif 000002
【特許請求の範囲】
【請求項１】
餌を収容するための収容空間を規定する箱本体と、前記箱本体に開閉自在に装着された蓋体とを備えた携帯用餌箱において、
前記箱本体は、本体外壁と、この本体外壁の内側に配設された本体内壁とを有し、前記本体外壁と前記本体内壁との間に第１断熱層が設けられており、また前記蓋体は、蓋外壁と、この蓋外壁の内側に配設された蓋内壁とを有し、前記蓋外壁と前記蓋内壁との間に第２断熱層が設けられていることを特徴とする携帯用餌箱。
【請求項２】
前記箱本体の前記本体外壁及び前記本体内壁並びに前記蓋体の前記蓋外壁及び蓋内壁は合成樹脂から形成され、前記本体外壁及び前記本体内壁の間の本体空間、及び前記蓋外壁及び前記蓋内壁の間の蓋空間には、多孔質の発泡合成樹脂から形成された断熱部材が充填されていることを特徴とする請求項１に記載の携帯用餌箱。
【請求項３】
前記箱本体の前記本体外壁及び前記本体内壁並びに前記蓋体の前記蓋外壁及び蓋内壁は金属から形成され、前記本体外壁及び前記本体内壁の間の本体空間、及び前記蓋外壁及び前記蓋内壁の間の蓋空間は真空に保たれて断熱層として機能することを特徴とする請求項１に記載の携帯用餌箱。
【請求項４】
前記蓋体の内面には蓄冷材保持部が設けられ、前記蓄冷材保持部に蓄冷材が着脱自在に装着されることを特徴とする請求項１〜３のいずれかに記載の携帯用餌箱。
【請求項５】
前記箱本体から取り出した餌を一時的に収容するための餌トレイを更に備え、前記餌トレイが前記蓋体の上面に取り付けられていることを特徴とする請求項１〜４のいずれかに記載の携帯用餌箱。
【発明の詳細な説明】
【技術分野】
【０００１】
本発明は、釣りに用いる餌箱に関し、特に釣人が釣場に携帯して使用する携帯用餌箱に関する。
【背景技術】
【０００２】
携帯用餌箱として、収容空間を規定する箱本体と、この箱本体に開閉自在に装着された蓋体とを備え、箱本体（及び／又は蓋体）が二重構造に構成され、この二重構造の空間内に蓄冷材を充填したものが知られている（例えば、特許文献１参照）。この携帯用餌箱においては、使用に際して餌箱自体を冷蔵庫に入れて冷却し、箱本体（及び／又は蓋体）に充填された蓄冷材を予め冷却する。そして、使用の際には、餌箱を冷蔵庫から取り出し、箱本体内の収容空間に釣用餌（特に、サシエ）を入れる。このようにすると、餌箱内の釣用餌が蓄冷材に蓄冷された冷熱によって保冷され、餌箱内の釣用餌の鮮度を保つことができ、釣場などに携帯して用いることが可能となる。
【０００３】
【特許文献１】特開平７−２２７１８６号公報
【発明の開示】
【発明が解決しようとする課題】
【０００４】
このような携帯用餌箱では、蓄冷材を冷やすためには餌箱自体を冷蔵庫に入れなければならず、冷蔵庫内の大きなスペースを必要とし、使い勝手が悪いという問題がある。また、箱本体（及び／又は蓋体）の内部空間内に蓄冷材を充填する構成であるために、蓄冷材の漏れなどを防止するために箱本体（及び／又は蓋体）の構造が複雑になり、製作コストも高くなる問題がある。
【０００５】
本発明の目的は、比較的簡単な構成でもって釣用餌の鮮度を保つことができる携帯用餌箱を提供することである。
【課題を解決するための手段】
【０００６】
本発明の請求項１に記載の携帯用餌箱は、餌を収容するための収容空間を規定する箱本体と、前記箱本体に開閉自在に装着された蓋体とを備えた携帯用餌箱において、
前記箱本体は、本体外壁と、この本体外壁の内側に配設された本体内壁とを有し、前記本体外壁と前記本体内壁との間に第１断熱層が設けられており、また前記蓋体は、蓋外壁と、この蓋外壁の内側に配設された蓋内壁とを有し、前記蓋外壁と前記蓋内壁との間に第２断熱層が設けられていることを特徴とする。
【０００７】
また、本発明の請求項２に記載の携帯用餌箱では、前記箱本体の前記本体外壁及び前記本体内壁並びに前記蓋体の前記蓋外壁及び蓋内壁は合成樹脂から形成され、前記本体外壁及び前記本体内壁の間の本体空間、及び前記蓋外壁及び前記蓋内壁の間の蓋空間には、多孔質の発泡合成樹脂から形成された断熱部材が充填されていることを特徴とする。
【０００８】
また、本発明の請求項３に記載の携帯用餌箱では、前記箱本体の前記本体外壁及び前記本体内壁並びに前記蓋体の前記蓋外壁及び蓋内壁は金属から形成され、前記本体外壁及び前記本体内壁の間の本体空間、及び前記蓋外壁及び前記蓋内壁の間の蓋空間は真空に保たれて断熱層として機能することを特徴とする。
【０００９】
また、本発明の請求項４に記載の携帯用餌箱では、前記蓋体の内面には蓄冷材保持部が設けられ、前記蓄冷材保持部に蓄冷材が着脱自在に装着されることを特徴とする。
また、本発明の請求項５に記載の携帯用餌箱では、前記箱本体から取り出した餌を一時的に収容するための餌トレイを更に備え、前記餌トレイが前記蓋体の上面に取り付けられていることを特徴とする。
【発明の効果】
【００１０】
本発明の請求項１に記載の携帯用餌箱によれば、箱本体の本体外壁及び本体内壁の間に第１断熱層が設けられ、また蓋体の蓋外壁及び蓋内壁の間に第２断熱層が設けられているので、餌箱全体が断熱層で覆われている。従って、第１及び第２断熱層の断熱効果でもって外部から内部への熱の伝達が抑えられ、直射日光からの熱の影響を少なくし、箱本体内の収容空間に収容された釣用餌の鮮度を保つことができる。また、収容空間内に蓄冷された蓄冷材を入れることによって、その冷熱でもって収容空間の温度を低い状態に保つことができ、釣用餌の鮮度を半日から一日の間保つことが可能となる。
【００１１】
また、本発明の請求項２に記載の携帯用餌箱によれば、箱本体の本体外壁及び本体内壁の間の本体空間に、発泡合成樹脂から形成された断熱部材が充填され、また蓋体の蓋外壁及び蓋内壁の間の蓋空間にも、発泡合成樹脂から形成された断熱部材が充填されているので、餌箱全体が発泡合成樹脂で覆われ、従って、餌箱全体を発泡合成樹脂でもって断熱することができ、また比較的安価なものとして提供することができる。尚、発泡合成樹脂としては、例えば発泡ポリエチレンなどを用いることができる。
【００１２】
また、本発明の請求項３に記載の携帯用餌箱によれば、箱本体の本体外壁及び本体内壁の間の本体空間が真空に保たれ、また蓋体の蓋外壁及ぶ蓋内壁の蓋空間も真空に保たれるので、真空による断熱効果でもって餌箱全体を断熱することができる。また、箱本体の本体外壁及び本体内壁並びに蓋本体の蓋外壁及び蓋内壁が金属、例えばステンレス鋼から形成されるので、充分な剛性を有するとともに、直射日光、雨水などに晒されても変質することなく充分な耐久性を有し、長期にわたって用いることができる。
【００１３】
また、本発明の請求項４に記載の携帯用餌箱によれば、蓋体の内面に設けられた蓄冷材保持部に蓄冷材が着脱自在に装着されるので、餌箱の収容空間を蓄冷材の蓄熱でもって冷たい状態に保つことができ、釣用餌の鮮度を長い時間保つことができる。また、蓄冷材が蓋体の内面に装着されるので、蓄冷材からの冷熱が収容容器の上側から下側に流れ、収容空間内を効果的に冷やした状態に保つことができる。尚、蓄冷材保持部としては、例えば、一端側が開放された網状部材を蓋体の内面に取り付けることによって構成することができる。
【００１４】
また、本発明の請求項５に記載の携帯用餌箱によれば、蓋体の上面に餌トレイが取り付けられるので、箱本体から取り出した餌を一時的に収容することができ、釣りの際における餌の取扱いが容易となる。  
【発明を実施するための最良の形態】
【００１５】
以下、添付図面を参照して、本発明に従う携帯用餌箱の実施形態について説明する。図１は、一実施形態の携帯用餌箱を示す斜視図であり、図２は、図１の携帯用餌箱において蓋体を開放した状態で示す斜視図であり、図３は、図１の携帯用餌箱において蓋体を開位置まで開放した状態で示す断面図である。
【００１６】
図１〜図３において、図示の携帯用餌箱２は、箱本体４と、この箱本体４に開閉自在に装着された蓋体６とを備えている。箱本体４は直方体状であり、上面が開放された収容空間８を規定し、この収容空間８に釣用餌（即ち、サシエ）が収容される。蓋体６はヒンジ１０を介して開閉自在であり、図１に示す閉位置（図３に二点鎖線で示す位置）と図３に実線で示す開位置との間を開閉される。上記閉位置にあるときには、蓋体６は箱本体４の収容空間８の上面開口を閉塞し、この蓋体６によって、収容空間８が閉じた状態に保たれ、収容空間８内を保冷状態に保つことができる。また、上記開位置にあるときには、箱本体４の収容空間８の上面開口が開放され、この収容空間８に収容された釣用餌を開放された開口を通して取り出すことができる。
【００１７】
この形態では、箱本体４は本体外壁１２と本体内壁１４から構成された二重構造に構成されている。本体外壁１２及び本体内壁１４は、例えばポリプロピレンなどの合成樹脂から形成され、シート状乃至プレート状部材を例えば溶着、接着剤などで接合することによって形成される。本体外壁１２と本体内壁１４との間の空間には断熱部材１６が充填され、断熱部材１６は箱本体４の底部及び４側部に配設され、箱本体４の実質上全域を覆っている。断熱部材１６は、例えば発泡ポリエチレンなどの多孔質の発泡合成樹脂から形成され、箱本体４側の第１断熱層として作用し、このような発泡合成樹脂から形成することによって充分な断熱効果が得られる。
【００１８】
また、蓋体６は蓋外壁１８と蓋内壁２０から構成された二重構造に構成されている。蓋外壁１８及び蓋内壁２０は、箱本体４と同様に、例えばポリプロピレンなどの合成樹脂から形成され、シート状乃至プレート状部材を例えば溶着、接着剤などで接合することによって形成される。蓋外壁１８と蓋内壁２０との間の空間には断熱部材２２が充填され、断熱部材２２は蓋体４の上壁に配設され、蓋体４の実質上全域を覆っている。断熱部材２２も、例えば発泡ポリエチレンなどの多孔質の発泡合成樹脂から形成され、蓋体６側の第２断熱層として作用し、充分な断熱効果が得られる。
【００１９】
この蓋体６の内面には、蓄冷材保持部を構成する網状部材２４が取り付けられている。網状部材２４は一端側（図２において右側）が開放されているが、残りの周囲は蓋体６の蓋内壁２０に取り付けられており、この開放された一端開口が挿入開口として機能する。尚、この網状部材２４は糸状部材又は弾性を有するゴム状部材などから形成することができる。
【００２０】
この網状部材２４の内側、即ち蓋体６の蓋内壁２０と網状部材２２との間には、袋状にパックされた蓄冷材２６が装着される。この蓄冷材２６は、一端開口を通して内側に挿入することによって網状部材２２の内側に着脱自在に取り付けられ、この取り付けられた状態においては、蓄冷材２６からの冷熱は網状部材２２の網目を通して箱本体４の収容空間８内に流れる。尚、蓄冷材保持部は、網状部材２６に代えて、例えば、ポケット状の収容凹部を規定する収容部材から形成するようにしてもよく、この場合、冷気が流れるようにするために、収容部材に多数の孔が設けられる。
【００２１】
この携帯用餌箱２では、箱本体４の前面（図１及び図２において左下面、図３において左面）に、間隔をおいて一対のフック部材２８が設けられている。このフック部材２８は下方に延びるフック部３０を有し、このフック部３０がリュック、衣類などのベルト、ポケットなどに引っ掛けられ、釣人の身近なところに係止保持して用いることが可能となる。尚、このフック部３０は板ばね状部材から形成し、ベルトなどに引っ掛けた際に、このフック部がベルトなどを押圧して外れ難くなるようにするのが望ましい。
【００２２】
このような携帯用餌箱２は、その幅Ｗが１０〜１８ｃｍ、その奥行きＤが７〜１２ｃｍ、その高さＨが６〜１０ｃｍに形成され、このような大きさにすることによって、断熱効果の高い携帯用餌箱とすることができる。
【００２３】
この携帯用餌箱２を使用する際には、例えば、蓋体６を矢印（図３）で示す方向に開放し、冷蔵庫などで予め冷却した蓄冷材２６を網状部材２４の開口を通して図２に示すように挿入し、この網状部材２４の内側に装着する。そして、箱本体４の収容空間８内に、釣りで用いる餌（サシエ）を入れ、蓋体６を閉位置まで旋回させて閉状態にし、箱本体４の収容空間８を閉じる。このようにすることによって、蓄冷材２６からの冷気が下側に流れ、この冷気によって、収容された釣用餌が保冷状態に保たれる。また、餌箱２の実質上全域が断熱部材１６，２２によって覆われ、これら断熱部材１６，２２によって断熱状態に保たれるので、外部からの熱が収容空間８に伝わり難く、内部の保冷状態を長く保つことが可能となり、釣用餌の鮮度を半日から一日程度保つことが可能となる。
【００２４】
このような携帯用餌箱では、図４に示すように、釣用餌の取扱いを容易にするために、餌トレイを設けるのが望ましい。図４は、他の実施形態の携帯用餌箱を示す斜視図である。尚、以下の実施形態において、上述した実施形態と実質上同一のものには同一の参照番号を付し、その説明を省略する。
【００２５】
図４において、この実施形態では、蓋体６の蓋外壁１８の上面に餌トレイ４２が取り付けられている。餌トレイ４２は上面が開放された皿状であり、箱本体４の収容空間から取り出した餌を一時的に置くときに用いられる。このような餌トレイ４２は、例えば両面テープ（図示せず）を用いて蓋体６の上面に取り付けることができる。また、一時的に置いた釣用餌の取扱いを容易にするために、餌トレイ４２の底部に例えば半球状の突部などを設けることができる。
【００２６】
上述した実施形態では、断熱部材１６，２２を断熱層として機能させているが、このような構成に代えて、例えば図５に示すように構成することができる。図５は、更に他の実施形態の携帯用餌箱を示す断面図である。
【００２７】
図５において、図示の携帯用餌箱２Ａでは、箱本体４Ａの本体外壁１２Ａ及び本体内壁１４Ａが金属、例えばステンレス鋼から形成され、本体外壁１２Ａと本体内壁１４Ａとの間に本体空間５２が規定されている。また、蓋体６Ａの蓋外壁１８Ａ及び蓋内壁２０Ａも金属、例えばステンレス鋼から形成され、蓋外壁１８Ａと蓋内壁２０Ａとの間に蓋空間５４が規定されている。この形態では、本体空間５２及び蓋空間５４は実質上真空に保たれ、これら真空層が断熱層として機能する。これら真空層（即ち、本体空間５２及び蓋空間５４）は餌箱２Ａの実質上全域を覆い、これら真空層によって断熱状態に保たれるので、このような形態のものにおいても、上述したと同様に、外部からの熱が収容空間８に伝わり難く、内部の保冷状態を長く保つことができる。
【００２８】
以上、本発明に従う携帯用餌箱の各種実施形態について説明したが、本発明はかかる実施形態に限定されるものではなく、本発明の範囲を逸脱することなく種々の変形乃至修正が可能である。
【００２９】
例えば、上述した実施形態では、蓄冷材２６を蓋体６の内面に装着しているが、これに限定されず、この蓄冷材２６を箱本体４の収容空間８内に収容する、又はこの収容空間内面に着脱自在に装着するように構成することもできる。
【００３０】
また、上述した実施形態では特に設けていないが、箱本体４（４Ａ）及び蓋体６（６Ａ）の開口部に、蓋体６（６Ａ）を閉位置にロック保持するためのロック手段を設けるようにしてもよく、この場合、ロック手段を例えば永久磁石片と磁性体片の組合せにより構成することができ、箱本体４（４Ａ）の開口部に永久磁石片（又は磁性体片）を設けるとともに、蓋体６（６Ａ）の開口部に磁性体片（又は永久磁石片）を設けることができる。
【図面の簡単な説明】
【００３１】
【図１】一実施形態の携帯用餌箱を示す斜視図である。
【図２】図１の携帯用餌箱において蓋体を開放した状態で示す斜視図である。
【図３】図１の携帯用餌箱において蓋体を開位置まで開放した状態で示す断面図である。
【図４】他の実施形態の携帯用餌箱を示す斜視図である。
【図５】更に他の実施形態の携帯用餌箱を示す断面図である。
【符号の説明】
【００３２】
２，２Ａ  携帯用餌箱
４，４Ａ  箱本体
６，６Ａ  蓋体
８  収容空間
１２，１２Ａ  本体外壁
１４，１４Ａ  本体内壁
１６，２２  断熱部材
１８，１８Ａ  蓋外壁
２０，２０Ａ  蓋内壁
２４  網状部材
２６  蓄冷材
２８  フック部材
４２  餌トレイ
５２  本体空間
５４  蓋空間
【図１】
2006020589.tif 000003
【図２】
2006020589.tif 000004
【図３】
2006020589.tif 000005
【図４】
2006020589.tif 000006
【図５】
2006020589.tif 000007